Podtech/llm-jp-corpus-v4-ja_patent huggingface dataset:
(57)【要約】【課題】  短時間で電気機器及び試験室内の温度を−２０℃以下にして電気機器の電気特性を測定する試験方法を提供する。【解決手段】ドライアイス、液化炭酸ガス、液体窒素、液体アルゴン、液体ヘリウムなどの冷却媒体を試験室内に供給することで、短時間で電気機器及び試験室内を−２０℃以下に低下させて電気機器の電気特性の試験が行える。【選択図】        図１
2016176878.tif 000002
【特許請求の範囲】
【請求項１】
−２０℃以下の低温状態で電気機器の電気特性を試験する低温電気試験において、冷凍機等の冷却装置の代わりにドライアイス、液化炭酸ガス、液体窒素、液体アルゴン、液体ヘリウム等の冷却媒体により電気機器及び試験室内を冷却することで、短時間で試験条件の−２０℃以下の試験状態にすることができることを特徴とする低温での電気機器の電気試験方法。
【発明の詳細な説明】
【技術分野】
【０００１】
本発明は、変圧器等の大型の電気機器またはその部品を、短時間で−２０℃以下の低温環境にし電気特性等の電気試験を行う方法に関する。
【背景技術】
【０００２】
変圧器等の電気機器は、電気学会電気規格調査会標準規格ＪＥＣ２２００に示されるように、−２０℃で電気特性を満足することが求められている。また、客先によっては、さらに低い温度での電気特性を求められることがある。このため、−２０℃以下での電気試験が必要となる。
【０００３】
低温での試験方法としては、従来から、冷凍機等の空調設備および試験槽内の状態を検知するセンサを使用して制御することで設定した温度に冷却する試験方法が知られている（特許文献１，２参照）。
【先行技術文献】
【特許文献】
【０００４】
【特許文献１】特開平７−２７０３０３
【特許文献２】特許第３５８０６３７号
【発明の概要】
【発明が解決しようとする課題】
【０００５】
特許文献１及び２記載の試験方法の場合、試験槽内の冷却に冷凍機等の空調設備（以下、冷凍機という）を使用するため、通常−２０℃程度の冷却が限界となる問題がある。また、冷凍機で変圧器等の大型の電気機器を室温から−２０℃まで冷却するには数時間程度かかるため、試験準備から試験の実施までに多くの時間かかる問題がある、しかも、試験槽内の冷却に冷凍機を使用するため、多くの電力を消費する問題がある。
【０００６】
本発明は、以上の問題を解決できるものであり、短時間で電気機器を−２０℃以下にまで低下させて電気試験ができるものである。また、消費電力の大きな冷凍機を使用しないので、電力の需給に影響を受けることなく計画的に低温での試験を行うことができるので効率よく試験することができる。
【課題を解決するための手段】
【０００７】
請求項１記載の低温での電気試験方法は、ドライアイス、液化炭酸ガス、液体窒素、液体アルゴン、液体ヘリウム等の冷却媒体により電気機器及び試験室内を試験条件の−２０℃以下まで低下させることで、短時間で電気機器の電気特性を測定することが可能な環境にすることができることを特徴とする。
【発明の効果】
【０００８】
請求項１記載の発明によれば、ドライアイス、液化炭酸ガス、液体窒素、液体アルゴン、液体ヘリウム等の冷却媒体によって電気機器及び試験室内を冷却させるので、試験条件の−２０℃以下まで電気機器を急速に冷却でき、短時間で電気試験が行える状態にできる。また、電気機器を冷却するための電力消費を抑えて電気試験が行える。
【図面の簡単な説明】
【０００９】
【図１】本発明に係る低温における電気試験を行う試験装置の構成図である。
【発明を実施するための形態】
【００１０】
以下、本発明の実施形態を図１に基づいて説明する。試験装置１は、図１に示すように電気機器２（本実施例では変圧器）を設置する試験室３が枠組４に取付けられた断熱性のある材質で作られたシート状や板状等でできた壁材５及び屋根材６と熱伝導率の低い木材やプラスチック等の材質を使用し、さらに内部を空洞にして断熱性を高めた立方体の床材７によって構成されるものである。電気試験を行う際には、接続口８から試験室３内に電気試験を行うための図示しない配線類を引き入れ電気機器２に接続し、電気機器２の表面温度及び内部温度を測定する温度センサ９及び電気機器２の周囲及び試験室３内の温度を測定する温度センサ１０を設置する。
【００１１】
試験室３内への電気機器２の設置及び図示しない配線類の接続等の電気試験の準備が整い次第、供給装置１１を作動させて、試験室３内に冷媒導入部１２を通して冷媒貯蔵部１３に貯蔵されたドライアイス、液化炭酸ガス、液体窒素、液体アルゴン、液体ヘリウム等の冷却媒体を供給することで、電気機器２及び試験室３内は急速に冷却される。
【００１２】
電気機器２の表面及び内部の温度を測定している温度センサ９の測定温度が設定温度になった時点で温度センサ９から停止信号を受けて供給装置１１が停止し、冷却媒体の供給が中止される。
【００１３】
また、冷却媒体の供給により温度センサ９又は温度センサ１０の測定値が設定温度以下に低下した場合は、温度センサ９又は温度センサ１０の信号を受けて送気装置１４が駆動し、送気口１５より試験装置１外の外気が試験室３内に送られると共に、試験室３内の圧力が高まることで排気口１６から試験室３内の冷気が排気される。温度センサ９又は温度センサ１０の測定温度が設定温度になると温度センサ９又は温度センサ１０の信号を受けて送気装置１４が停止する。さらに、時間経過等より温度センサ９及び温度センサ１０の測定値が設定温度以上になると温度センサ９及び温度センサ１０の信号を受けた供給装置１１によって冷媒の供給が開始される。なお、供給装置１１及び送気装置１４の運転制御は、温度センサ９の信号が優先される。
【００１４】
試験時間が短時間である場合には、供給装置１１及び冷媒貯蔵部１３を使用せずに試験開始時に直接試験室３内に必要量のドライアイス、液化炭酸ガス、液体窒素、液体アルゴン、液体ヘリウム等の冷却媒体を供給しておき、送気装置１４を運転制御することで温度調整を行うことも可能である。
【００１５】
以上のように、本発明の低温電気試験方法は、短時間で電気機器を−２０℃以下にまで低下させて電気試験ができると共に、電気機器及び試験室内を冷却するため冷凍機が不要であるので、電気機器及び試験室内を冷却するための電力の消費を抑えて低温で電気試験が可能となる。
【産業上の利用可能性】
【００１６】
変圧器等の大型の電気機器またはその部品を、−２０℃以下の低温状態で電気試験する場合に利用可能である。
【符号の説明】
【００１７】
１・・・試験装置、２・・・電気機器、３・・・試験室、４・・・枠組、
５・・・壁材、６・・・屋根材、７・・・床材、８・・・接続口、
９、１０・・・温度センサ、１１・・・供給装置、１２・・・冷媒導入口、
１３・・・冷媒貯蔵部、１４・・・送気装置、１５・・・通気口、
１６・・・排気口
【図１】
2016176878.tif 000003
(57)【要約】【課題】使用後、ブラシの水切り、乾燥を効率良く行い、より衛生的に保管することのできる柄付きブラシを提供する。【解決手段】柄付きブラシのブラシ部分と、持ち手部分の間のバランスのとれる位置に柔軟性のある滑りにくい素材を使用した支点になる部分をもうける。【選択図】図１
2016129657.tif 000002
【特許請求の範囲】
【請求項１】
柄付きブラシのブラシ部分と、持ち手部分の間にバランスのとれる支点をもうけ、ブラシの使用後にブラシ自ら支点でバランスをとり、水切り、乾燥することを特徴とする柄付きブラシ構造。
【請求項２】
前記、柄付きブラシの支点は柔軟性のある滑りにくい素材を使用し、支点を台に軽く打ちつけるようにして、水切りすることのできる構造。
【発明の詳細な説明】
【技術分野】
【０００１】  この発明は柄付きブラシの構造に関し、使用後に効率良く水切りし乾燥させる構造に関わる。
【背景技術】
【０００２】  従来から、柄付きブラシを使用した後ブラシ部分が十分に、水切り、乾燥されないまま片付けられていた。その為、カビ等雑菌の繁殖が多く不衛生な状態で保管される事が多くあった。
【発明の概要】
【発明が解決しようとする課題】
【０００３】  しかしながら、使用後のブラシ部分は汚れている為、振り回しての水切りは汚水が飛び散るためできず、ブラシをどこかに引っ掛けても下の床面に汚水がしたたり落ちてしまう。【０００４】  本発明は、柄付きブラシ自体のバランスを利用して、効率良く水切り、乾燥をすることを目的とする。
【課題を解決するための手段】
【０００５】  本発明の柄付きブラシの構造は、柄のブラシ側と持ち手側の間に、バランスのとれる部分をもうける。また、バランスのとれる部分に柔軟性のある滑りにくい素材を使う。
【発明の効果】
【０００６】  本発明の柄付きブラシによれば、従来の柄付きブラシでは難しかった、汚れを飛び散らさずに、水切り、乾燥するのを、柄付きブラシ自らバランスをとらせ、汚水の付いたブラシ部分のみを、排水可能な場所の上に中に浮いた様な状態で放置し乾燥できる。【０００７】  また、バランスのとれる部分を、台に軽く打ちつけるようにして水切りし、より早く乾燥することを可能にした。
【発明を実施するための形態】
【０００８】  以下、本発明の柄付きブラシの構造を図面に示し、具体的に説明する。
【図面の簡単な説明】
【０００９】
【図１】は本発明を実際に使用している図である。１は柄付きブラシ本体。２はバランスのとれる位置にある支点。３はブラシ部分。４は持ち手部分である。
【符号の説明】
【００１０】１          柄付きブラシ本体２          バランスのとれる支点３          ブラシ部分４          持ち手部分５          台
【図１】
2016129657.tif 000003
(57)【要約】【課題】本発明は、子供が通常の大きさの洋式便器を使用する際の補助器具として用いる。【解決手段】子供が、外出時等に洋式便器を使用する際に、大人用の便座が付いた洋式便器をそのままの状態で使用することが困難であることが多々見られる。そのような状況において、本発明を用いて、子供にとって安定かつ安心感を持って使用出来る為の補助器具として提供する。材料・材質については、誰もが気軽に手に入れ、１回から数回の頻度の使用で使い捨てることが出来るような比較的安価な材質を選定する。【選択図】図１
2016129655.tif 000002
【特許請求の範囲】
【請求項１】
子供が、通常の大きさの洋式便器を使用する際の補助器具。
【請求項２】
使用する際には簡単に扱うことができ、その為の構造及び仕組み、製造方法、組み立て方法がある。
【請求項３】
誰もが気軽に手に入れ、１回から数回の頻度を想定した使い捨て使用ができるような比較的安価な材質を選定している。
【発明の詳細な説明】
【技術分野】
【０００１】  この発明は、子供が通常の大きさの洋式便器を使用する際の補助器具の構造と仕組み、製造方法、組み立て方法に係り、特に簡易な物として使用できる為の物である。
【背景技術】
【０００２】  子供が、おむつを卒業する時期から一人で洋式便器を使えるようになるまでの時期にはある程度の期間が見られる。
最近では、大型ショッピングモール等の施設のトイレで子供に対応した便器が見られるようになったり、家庭でも、通常の大きさの便器にはめて使用する補助器具が多く用いられている。しかし、公共施設等では、依然として大人が使用する為の大きさの洋式便器がそのままの状態で設置されている所が数多く見られる。
このような状況において、子供やその引率者等が外出する際には、子供に対応しているトイレを予め選定しておくか、前述のように、家庭で使用している通常の大きさの便器にはめて使用する補助器具を持参して臨み、外出後にはその補助器具を持ち帰らなければならない。
【発明の概要】
【発明が解決しようとする課題】  そこで、１回から数回の頻度の使用で使い捨てることを想定した補助器具が求められている。【０００３】  本発明は、このような状況に着目し、誰もが気軽に手に入れ、１回か数回の頻度を想定した使い捨て使用ができるような比較的安価な材質を選定し、提供することを目的にしている。
【課題を解決するための手段】
【０００４】  このような目的を達成する本発明は、ダンボールやその他比較的安価で、簡単に捨てられる材質を採用している。
【図面の簡単な説明】
【０００５】
【図１】本発明の全体を示す斜面図
【図２】本発明を通常の大きさの便座に被せることを示す図
【図３】本発明を真上から見た図及び本発明を通常の大きさの便座に被せることを示す図
【符号の説明】
【０００６】１    本発明品（細かな形状は問わず）
２    飛散防止（形状は問わず）
３    排泄口（形状は問わず）
４    通常の大きさの便座
５    便器
６    通常の大きさの便座に被せる
７    本発明品
８    タンク
９    本発明品（細かな形状は問わず）
１０  通常の大きさの便座
１１  排泄口（形状は問わず）
【図１】
2016129655.tif 000003
【図２】
2016129655.tif 000004
【図３】
2016129655.tif 000005
(57)【要約】【課題】本発明は、子供や高齢者等の自力で通常の和式便器を使用することが困難である方々の為の補助器具として用いる。【解決手段】子供や高齢者等の自力で通常の和式便器を使用することが困難である方々が、外出時等に和式便器をそのまま跨いで使用することが困難であることが多々見られる状況において、本発明を用いて、椅子に腰掛ける様な感じで用を足すことを補助すること等を提供する。材料・材質については、誰もが気軽に手に入れ、１回から数回の頻度の使用で使い捨てることができるような比較的安価な材質を選定する。【選択図】図１
2016129656.tif 000002
【特許請求の範囲】
【請求項１】
子供や高齢者等の自力で通常の和式便器を使用することが困難である方々が、便器の上に設置する補助器具である。
【請求項２】
使用する際には、左右方向に開いて和式便器の上に乗せ、収納する際には、先程とは反対方向に閉じるといったように簡単に扱うことが出来き、また、その為の構造、仕組み、製造方法及び組み立て方法がある。
【請求項３】
誰もが気軽に手に入れ、１回から数回の頻度を想定した使い捨て使用ができるような比較的安価な材質を選定している。
【発明の詳細な説明】
【技術分野】
【０００１】  この発明は、子供や高齢者等の自力で通常の和式便器を使用することが困難である方々が設置して使う補助器具の構造、仕組み、製造方法及び組み立て方法に係り、特に簡易な物として使用できるものである。
【背景技術】
【０００２】  最近では、大型ショッピングモールや公共施設、その他の様々な場所のトイレで子供に対応した便器が見られるようになった。しかし、依然として和式便器が数多く見られる。特に、公園等の公衆トイレや保健所等の公共施設では顕著に見られる。
このような状況において、親や引率者等の関係者が外出する際には、子供に対応しているトイレを予め選定しておかなければならない。
【発明の概要】
【発明が解決しようとする課題】  そこで、回から数回の頻度の使用で使い捨てることを想定した補助器具が求められている。【０００３】  本発明は、このような状況に着目し、誰もが気軽に手に入れ、１回から数回の頻度を想定した使い捨て使用ができるような比較的安価な材質を選定し、提供することを目的にしている。
【課題を解決するための手段】
【０００４】  このような目的を達成する本発明は、ダンボールやその他比較的安価で、簡単に捨てられる材質を採用している。
【図面の簡単な説明】
【０００５】
【図１】本発明の全体を示す斜面図
【図２】本発明を和式便器に設置し、使用する方法を示す図
【図３】本発明を和式便器に設置する方法を示す図
【図４】本発明の組み立て方法を示す図
【符号の説明】
【０００６】１  開閉
２  こちらに尻を置く
３  和式便器
４  足置き
５  足
６  本発明品
７  足置き
８  和式便器
９  外側の材料
１０  筋交いの材料
１１  内側の材料
１２  外側の材料
１３  筋交いの材料
１４  内側の材料
１５  足置き
１６  足置き
【図１】
2016129656.tif 000003
【図２】
2016129656.tif 000004
【図３】
2016129656.tif 000005
【図４】
2016129656.tif 000006
(57)【要約】      （修正有）【課題】色鉛筆やパステルで濃い色を塗るとき、画用紙に対して強い筆圧で描いても転倒せず、極めて簡易で、力学的にも合理的な使用法の折りたたみ式の画架を提供する。【解決手段】画用紙ストツパー７と支柱板ストツパー６を付けた画板１と、支柱板３を付けた底板２を画板接続蝶番４で繋ぎ、画板を傾斜させたときに画板を支持板で支持する。【選択図】図１
2016129654.tif 000002
【特許請求の範囲】
【請求項１】
画板（１）に底板（２）を画板接続蝶番（４）で繋ぎ、底板（２）に、傾斜させたときの画板（１）を支える支柱板（３）と支柱板蝶番（５）を設け、支柱板（３）を止める支柱板ストツパー（６）を画板（１）裏側と、画板（１）表面に画用紙ストッパー（７）を設けた折りたたみ式画架。
【発明の詳細な説明】
【技術分野】
【０００１】この発明は、強い筆圧で描いても倒れず、折りたたんで携帯できる画架に関するものである。
【背景技術】
【０００２】従来の三脚式画架は、弱い筆圧の絵筆で描くことはできた。
【先行技術文献】
【特許文献】
【０００３】
【特許文献１】
【発明の概要】
【発明が解決しようとする課題】
【０００４】  従来の画架は、絵筆を使って絵を描くための構造で、画用紙に対する筆圧が弱く倒れることは無いが、色鉛筆やパステルやナイフを使って描く油彩など、画面に強い筆圧が必要な絵を描くと画架が倒れる。したがって机上など水平な台に画用紙を置いて描くことが一般的であるが、画面に対して目線が斜めになり正確な物の形を把握しにくい。正確な絵を描くための必要条件の一つは、絵を直角的に見ることである。
本発明は、以上のような欠点をなくすためになされたものである。
【課題を解決するための手段】
【０００５】  画板（１）の表面に画用紙ストッパー（７）と、裏面に支柱板ストツパー（６）を設けた画板（１）と、画板（１）を支える支柱板（３）を蝶番で底板（２）と繋ぎ設ける。
【発明の効果】
【０００６】  画板を支える支柱板が画板に対する圧力を受け止めるので、強い力が画板に加えられても画架が倒伏することなく絵を描くことが出来て、使用後は折り畳んで簡単に収納ができる。
【図面の簡単な説明】
【０００７】
【図１】本発明の組み立て時の左側面図である。
【図２】本発明の組み立て時の背面図である。
【図３】本発明の組み立て時の正面図である。
【図４】本発明の折りたたみ時の左側面図である。
【発明を実施するための形態】
【０００８】以下、本発明を実施するための形態について説明する。
画板（１）の下に底板（２）を蝶番で繋ぎ、底板（２）に画板（１）を傾斜させたときに支える支柱板（３）を設ける。画板（１）の裏側に支柱板（３）を固定する支柱板ストツパー（６）と、画板（１）表面下部に画用紙ストツパー（７）を設ける。
本発明は、以上のような構造である。
これを使用するときは、［図１］のように組み立てるだけで、簡単に使用状態となる。
【符号の説明】
【０００９】  １  画板
２  底板
３  支柱板
４  画板接続蝶番
５  支柱板蝶番
６  支柱板ストッパー
７  画用紙ストッパー
【図１】
2016129654.tif 000003
【図２】
2016129654.tif 000004
【図３】
2016129654.tif 000005
【図４】
2016129654.tif 000006
【手続補正書】
【提出日】平成27年2月23日(2015.2.23)
【手続補正１】
【補正対象書類名】図面
【補正対象項目名】全図
【補正方法】変更
【補正の内容】
【図１】
2016129654.tif 000007
【図２】
2016129654.tif 000008
【図３】
2016129654.tif 000009
【図４】
2016129654.tif 000010
(57)【要約】【課題】従来の学業成就に関わる御守やお札には、抽象的な、学業成就であるとか学業成就御守とか合格受験御守護などと記してあるだけで、各自の学業成就すべき具体的、明確な目標、ゴールの記載がなかった。そこで、学業成就などだけの記載では勉学に励む物品としてはいまひとつ力が足りないきらいがあった。【解決手段】そこで、具体的、明確に、学業成就の目的、ゴールである学校名や学部名や国公立、私立の区別や資格試験の名称などを明確に記した学業成就に関する御守やお札を得る。また、その手法の応用として、同様に所謂合格鉢巻、熊手、破魔矢にも学業成就の目的である学校名や学部名や国公、私立の区別や資格試験の名称などを明確に記した学業  成就に関する物品を得る。これで、より勉学に身が入る物品を得る。【選択図】図１
2016129653.tif 000002
【特許請求の範囲】
【請求項１】
御守やお札で学業を行う者が達成すべき、つまり合格すべき学校名や学部名、私大、国公立大や資格試験の名称など具体的な目標、目的、ゴールを明確に記しその合格の祈願や御守護や成就を記したもの。
【請求項２】
合格鉢巻に学業を行う者が達成すべき、つまり合格すべき学校名や学部名、私大、国公立大や資格試験の名称などの具体的な目標、目的、ゴールを明確に記したもの。
【請求項３】
熊手、破魔矢などに、学業成就、合格祈願など記したもの。
【請求項４】
熊手、破魔矢などに、学業を行う者が達成すべき、つまり合格すべき学校名や学部名、私大、国公立大、資格試験の名称などの具体的な目標、目的、ゴールを明確に記しその合格の祈願や御守護や成就を記したもの。
【請求項５】
御守やお札に学業を行う者が達成すべき、つまり合格すべき学校名や学部名、私大、国公立大や資格試験の名称など具体的な目標、目的、ゴールを明確に記したもの
【発明の詳細な説明】
【技術分野】
【０００１】  本発明は主に寺社などで頒布される御守やお札又熊手や破魔矢に関する。
【背景技術】
【０００２】  本発明はもともと寺社などで頒布される御守やお札のうち学業成就を目的とするものに関わるが、従来、学業成就を目的とする御守やお札には、学業成就であるとか、学業成就御守、合格受験御守護などというような記載のみで、学業の目的、例えば東京大学に入りたいとか、司法試験に通りたいとかいった、学業をする目的、ゴールの記載がなかった。
【発明の概要】
【発明が解決しようとする課題】
【０００３】  従来のような学業の目的の記載が明確でない御守やお札では、その御守やお札を所有して、眺めたりしてもどうも抽象的な学業成就といった文言の御守やお札の記述内要では、勉学に身が入らないきらいもあった。そこで、本発明による御守やお札には、学業の目的を特化、具体化して、学業成就の成就すべき目的、ゴールを明確に記述して、御守やお札を眺めたり、身につければ、勉学欲が出てきて勉学によりいそしむことができるような御守やお札を得ようとするものである。
【課題を解決するための手段】
【０００４】  御守やお札に、東大合格御守護、であるとか麻布中学合格御守、司法験合格御守護、センター試験９割突破御守護、などと学業を行う者が達成すべき具体的な目標、目的、ゴールを明確に記した御守やお札を形成する。東大理ＩＩＩ合格御守、関関同立合格祈願、私大難関合格御守護、国公立難関合格御成就などと、目指す学校名や学部、学校が私大入学か国公立か等また、資格試験の名称を具体的に記載し、その合格祈願や御守護や成就等を記したものであればより勉学に励める、ありがたい御守やお札を形成するのである。【０００５】  また、同じように鉢巻に合格の文字を記した所謂合格鉢巻には合格としか書かれていないが、東大合格とか東大理ＩＩＩ合格であるとか上述しているようなことを応用し具体的な学校名など合格のゴールを記載した合格鉢巻を形成することもできる。【０００６】  また、福を掴む熊手や目的を射落とす破魔矢にも、同様に学業を行う者が達成すべき目標、目的、ゴールを具体的に明確に記し合格や合格御守護などを記したものを形成すると勉学上縁起がよい物品となる。但し、熊手や破魔矢で合格祈願、学業成就を祈念するのは、それ自体新しい物品と思われるので、従来の物品に新たな学業上の効果があると認められる。
【発明の効果】
【０００７】  いままで述べてきた通りであるが、御守やお札に学校名や学部名や私大や国公立大、国立大、国立難関、私大難関、早慶突破などと具体的、明確な学問上の目的、ゴールを記載することにより、勉強にもより励めるし、合格する確率が、つまり自己の目標達成率が高まる効果をもたらす。
また、合格鉢巻、熊手、破魔矢にも同様な記載をすれば同様な効果をもたらす。【０００８】  抽象的ないままでの学業成就御守というようなものより、勉学の励みとなる。
【図面の簡単な説明】
【０００９】
【図１】本発明に関わる御守の例えば東大理ＩＩＩを記載した物品である。
【発明を実施するための形態】
【００１０】  本発明の物品は従来の同様物品と同じように使用してもらえばよい。
【符号の説明】
【００１１】  １  御守本体
２  学業成就の目標である学校、学部名の例示
【図１】
2016129653.tif 000003
(57)【要約】      （修正有）【課題】カメラや携帯電話やスマートフォンによる撮影画像のコントラストを容易に調整できる撮像素子を提供する。【解決手段】撮像素子に光の三原色の赤（Ｒ）緑（Ｇ）青（Ｂ）と色の三原色のイエロー（Ｙ）マゼンタ（Ｍ）シアン（Ｃ）を含ませてコントラストの範囲を広げる。【選択図】なし【特許請求の範囲】
【請求項１】
光の三原色の赤（Ｒ）緑（Ｇ）青（Ｂ）と色の三原色のイエロー（Ｙ）マゼンタ（Ｍ）シアン（Ｃ）を含む撮像素子。
【発明の詳細な説明】
【発明の詳細な説明】
この発明はカメラや携帯電話やスマートフォンの撮影機能に使われる撮像素子に関するものである。
従来、カメラや携帯電話やスマートフォンに使用されている撮像素子は赤（Ｒ）緑（Ｇ）青（Ｂ）の光の三原色が使われているがコントラストの範囲が少なかった。
本発明は、その欠点を除く為になされたもので、光の三原色のコントラストの範囲が少ないと色の三原色のコントラストが低いとの長所と欠点を組み合わせることによりコントラストの範囲が広がる。
こうすればカメラや携帯電話やスマートフォンのコントラストが容易に調整が出来る。
(57)【要約】      （修正有）【課題】雑草の生育を抑制する効果を持続するウッドチップを提供する。【解決手段】細かく砕いたウッドチップ１、細かく切ったウッドチップ１、細長いウッドチップ１またはスライスしたウッドチップ１に薄めた除草液７を噴霧し塗布する方法または薄めた除草液７にウッドチップ１を浸す方法により除草チップを製造する。【選択図】図３
2016082958.tif 000002
【特許請求の範囲】
【請求項１】
ウッドチップ（１）に除草液（７）を付着させたことを特徴とする除草チップ。
【請求項２】
ウッドチップ（１）に除草液（７）を噴霧し塗布し乾燥させた請求項第１項記載の除草チップ。
【請求項３】
ウッドチップ（１）を除草液（７）に浸し乾燥させた請求項第１項記載の除草チップ。
【発明の詳細な説明】
【発明の詳細な説明】
【技術分野】
【０００１】  本考案は、太陽光発電設備などを山林、休耕地、空き地などに建設したあとに発生する雑草の生育を抑えるために敷設または散布する除草チップに関するものである。
【背景技術】
【０００２】庭や公園の通路に利用されているウッドチップは原木を細かく砕きそのまま地表に敷設するか、植木鉢の充填物として消臭剤成分を付与して利用されていた。
【先行技術文献】
【実用新案文献】
【０００３】
【実用新案文献１】
実用新案出願平５−７３６６２  公報
【特許文献】
【特許文献１】  特許出願２００９−１３３４９４  公報
【発明の概要】
【０００４】従来のウッドチップは原木を細かく砕きそのまま地表に敷設するか、植木鉢の充填物として消臭剤成分を付与して利用されていた。これらのウッドチップは２〜３年で土にかえるため雑草の生育を抑制する効果を持続する期間が短いなどの問題があった。
実用新案出願平５−７３６６２の悪臭成分と選択的に反応することにより消臭性能を発現することを特徴とする消臭剤成分を担持した装飾・鑑賞用松皮ウッドチップは除草には向かず鑑賞用の消臭剤を含むものとして開発されたものである。
また、除草液は、特許出願２００９−１３３４９４のグルホシネートアンモニウムに対して重量比１／５から１／１５のポリアクリル酸ナトリウムを含む除草用液剤、もしくは除草用懸濁剤などが用いられていたが、これは除草液そのままの利用でありウッドチップに浸み込ませたものはなかった。
除草液や粉体状の除草剤は雨や散水により地中や地表に流出しその除草範囲を広めていたが晴天時に除草液を噴霧した場合は、雑草などの植物に浸透する前に除草液が紛体状になり風で飛ばされて飛来し除草が必要な場所での効果が激減したりしていた。
本考案は、ウッドチップに除草液を付着させ前述の欠点を解決しようとする除草チップに関するものである。
【実施例】
【０００５】  本考案は、以上の問題点を取り除くために考案されたもので、以下にこの構成を説明すると、
イ）  細かく砕いたウッドチップ（１）または、細かく切ったウッドチップ（１’）また    は細長いウッドチップ（１”）またはスライスしたウッドチップなどを１倍から数１    ００倍以上に薄めた除草液（７）に浸し、付着させる。
ロ）  除草液（７）は除草液塗布スプレイ（４）などにより噴霧し塗布することもできる    。
ハ）  除草液を浸透または噴霧し塗布したウッドチップ（１）を乾燥させる。
ニ）  除草液の代わりに除草剤を付着させ利用することもできる
以上の如く構成された除草チップをつくることで前述の問題を解決している。
【発明の効果】
【０００６】本考案の除草チップはウッドチップが持つ高いＣ／Ｎ比が植物の窒素飢餓を招くため、雑草の発育抑制に効果がある生育抑制効果と除草液剤の高い除草性能及び耐久性能を有し、簡便に取り扱える利点を有する。また、晴天時に除草チップを敷設しても除草液剤が紛体とならないため空中へ飛散しない利点がある。
除草剤の場合は気化しないため長時間の保存に向いている。
除草チップと地面との間に高温層ができ雑草の生育を妨げることができる。また、雨や散水によりウッドチップに浸透または塗布した除草液または除草剤が染み出し除草効果を上げることができる
【図面の簡単な説明】
【０００７】
【図１】本発明のウッドチップの形状例
【図２】本発明のウッドチップに除草液を噴霧し塗布する場合の例
【図３】本発明の除草液に浸したウッドチップの例
【発明を実施するための形態】
【０００８】  本考案は以上の如く構成された除草チップであるからこれを利用する場合は、除草する目的の土地の表面に除草チップを５ｃｍ〜１２ｃｍ以上重ね除草チップの上から踏むか圧力をかけ敷き詰める。晴れや曇りの時などは除草チップの上から散水し除草チップをなじませ平らにする。
【符号の説明】
【０００９】          １、１’、１”はウッドチップ
２はウッドチップに除草液を噴霧する場合のウッドチップ入れ
３はスプレイ室
４は除草液塗布スプレイ
５は除草チップトレイ
６は残液入れ
７は除草液
【図１】
2016082958.tif 000003
【図２】
2016082958.tif 000004
【図３】
2016082958.tif 000005
(57)【要約】【課題】従来のリモコン装置では、上記各変調方式は原則として互換性が無いため、機器の制御部が備えた通信モジュールの変調方式と同一の変調方式の通信モジュールを備えたものしか、その機器には接続できない。したがって、リモコン装置が給湯装置ごとに専用化し、多くの種類のリモコン装置を製造しなければならず、製造コストおよび管理コストが高くなる。【解決手段】通信モジュールを他の回路を搭載した主回路基板３とは別の副回路基板４として構成し、主回路基板と副回路基板との間を通信線５で接続することによって、複数種類の通信モジュールを各々搭載した複数種類の副回路基板のうちから任意のものを選択しうるようにした。【選択図】  図２
2016082531.tif 000002
【特許請求の範囲】
【請求項１】
機器に対して離れた位置に設置され、機器との間で相互に通信を行い、機器の動作を制御するリモコン装置であって、機器との通信を行う通信モジュールを備えたものにおいて、上記通信モジュールを他の回路を搭載した主回路基板とは別の副回路基板として構成し、主回路基板と副回路基板との間を通信線で接続することによって、複数種類の通信モジュールを各々搭載した複数種類の副回路基板のうちから任意のものを選択しうるようにしたことを特徴とするリモコン装置。
【発明の詳細な説明】
【技術分野】
【０００１】
本発明は、例えば屋外に設置される給湯装置との間で相互に通信を行い、給湯装置を屋内から制御するリモコン装置に関する。
【背景技術】
【０００２】
従来のこの種のリモコン装置は、機器側に設けられた制御部との間で通信を行っている。この通信は送信すべき信号を変調して相手側に送信し、受信側では受信した信号を復調している。そのため、機器側の制御部には通信モジュールが設けられており、同じくリモコン側にも通信モジュールが設けられ、両通信モジュール間で信号のやりとりが行われている（例えば、特許文献１参照）。
【０００３】
通信モジュールでの変調方式には複数種類のものの中から適宜選択されて用いられている。このような変調方式として、ＲＳ４８５規格、バースト変調、ＦＭ変調（frequency modulation：周波数変調）、ＦＳＫ変調（Frequency Shift Keying：周波数偏移変調）などがあり、あるいはこれ以上の変調方式が提案されている。
【先行技術文献】
【特許文献】
【０００４】
【特許文献１】特開２０１３−２１１６１４号公報（図２）
【発明の概要】
【発明が解決しようとする課題】
【０００５】
上記各変調方式は原則として互換性が無いため、上記従来のリモコン装置では、機器の制御部が備えた通信モジュールの変調方式と同一の変調方式の通信モジュールを備えたものしか、その機器には接続できない。したがって、リモコン装置が給湯装置側の変調方式ごとに専用化し、多くの種類のリモコン装置を製造しなければならず、製造コストおよび管理コストが高くなるという不具合が生じる。
【０００６】
そこで本発明は、上記の問題点に鑑み、可及的に少ないコストで複数の変調方式に対して対応することの出来るリモコン装置を提供することを課題とする。
【課題を解決するための手段】
【０００７】
上記課題を解決するために本発明によるリモコン装置は、機器に対して離れた位置に設置され、機器との間で相互に通信を行い、機器の動作を制御するリモコン装置であって、機器との通信を行う通信モジュールを備えたものにおいて、上記通信モジュールを他の回路を搭載した主回路基板とは別の副回路基板として構成し、主回路基板と副回路基板との間を通信線で接続することによって、複数種類の通信モジュールを各々搭載した複数種類の副回路基板のうちから任意のものを選択しうるようにしたことを特徴とする。
【０００８】
通信モジュール以外の部分は共用化が可能であるので、通信モジュール以外の部分を主回路基板にまとめ、その主回路基板とは別体に通信モジュールを備えた副回路基板を設けたので、副回路基板を交換することによって複数の変調方式に対応できる。
【発明の効果】
【０００９】
以上の説明から明らかなように、本発明は、通信モジュールを副回路基板に搭載したので、副回路基板を交換することにより複数の変調方式に対応でき、そのため、汎用部分を共有化することができてリモコン装置の製造コストや管理コストを削減することができる。
【図面の簡単な説明】
【００１０】
【図１】本発明の一実施の形態の構成を示す図
【図２】リモコン装置の内部を示す図
【発明を実施するための形態】
【００１１】
図１および図２を参照して、１は本発明によるリモコン装置であって、屋外に設置された図示しない給湯装置の制御を行うため、台所に設置される台所リモコンとして機能するものである。
【００１２】
このリモコン装置１には、正面に表示部２と各種操作ボタン１１，１２が設けられている。リモコン装置１の内部には主回路基板３が格納されており、この主回路基板３に上記表示部２が実装されている。また、上記各種操作ボタン１１，１２に対応して複数のスイッチ３１，３２が実装されている。
【００１３】
給湯装置の制御をする際には、いずれかの操作ボタン１１，１２を押し操作することによって、その押し操作をした操作ボタン１１，１２に対応するスイッチ３１，３２をオンにする。すると、主回路基板３に実装されている制御部から、そのオンになったスイッチに対応する制御信号が通信線５を介して通信モジュールが搭載されている副回路基板４に送信される。
【００１４】
副回路基板４ではその制御信号を所定の変調方式で変調して、端子台４１に接続される信号線を介して給湯装置に送信する。一方、給湯装置から送信されてくる変調された信号は、この副回路基板４で復調され、通信線５を介して主回路基板３に出力される。主回路基板３の制御部は給湯装置から送られてきた信号に基づいた表示を表示部２に表示する。
【００１５】
ところで、変調方式が異なる他の型式の給湯装置にこのリモコン装置１を使用する際には、その変調方式に対応した通信モジュールが搭載されている副回路基板４に交換するだけで、主回路基板３はそのまま使用することができる。
【００１６】
なお、本発明は上記した形態に限定されるものではなく、本発明の要旨を逸脱しない範囲内において種々の変更を加えてもかまわない。
【符号の説明】
【００１７】
１ リモコン装置
２ 表示部
３ 主回路基板
４ 副回路基板
５ 通信線
４１ 端子台
【図１】
2016082531.tif 000003
【図２】
2016082531.tif 000004
(57)【要約】      （修正有）【課題】運転コストを省力化した発電システムを提供する。【解決手段】円盤２の外周部分に、錘３を設け，外周部に接する任意の位置にモーター９と、モーターの回転軸にローター８を設け、回転盤２の回転駆動装置とし、円盤２と回転軸を同じくする円盤４から、変速ギアー，またはベルト５で発電機６に回転エネルギーを伝える。さらに発電システムを複数台収容できる、防水、防錆、頑丈な構造の収容箱を地下に埋設する。また、収納箱を住宅の壁面に取り付ける。【選択図】図１
2016082858.tif 000002
【特許請求の範囲】
【請求項１】
円盤２の外周部分に、錘３を設け，外周部に接する任意の位置にモーターと、モーターの回転軸にロウターを設け、回転盤２の回転駆動装置とし、円盤２と回転軸を同じくする円盤４から、変速ギアー，またはベルトで発電機に回転エネルギーを伝える，を特徴とする発電システム。
【請求項２】
当発電システムを複数台収容できる、防水、防錆、頑丈な構造の収容箱を地下に埋設する事を特徴とする発電システム。
【請求項３】
当発電システムを防水、防錆、頑丈な構造の収容箱に入れて、住宅の壁面に取り付ける事を特徴とする発電システム。
【発明の詳細な説明】
【技術分野】
【０００１】本発明は、慣性モーメントの大きな円盤を、回転駆動させるために、円盤の外周部の任意の位置にモーターを設け、モーター回転軸に取り付けられたローターが大きな回転盤の外周部に接触して、慣性モーメントの大きな円盤に回転エネルギーを与え，円盤は、次第に回転数を増して高速回転に達する。慣性モーメントの大きな円盤の回転軸には、発電機を回転させる為の変速ギアー、又はベルト駆動の為のプーリーを設ける，発電システムに関するものである。
【背景技術】
【０００２】  当システムは、慣性モーメントと、てこの理論を応用した物で、慣性モーメントに付いては、円盤の質量が重く、円盤の半径の二乗に比例して大きくなる為、円盤の外周に近い部分に、フライホイールのバランスを取りながら錘を取り付ける。質量が大きくなった円盤に回転エネルギーを与える為に、高速回転するモーターを円盤の外周部に配し、回転駆動装置とする。これは、てこの応用である。【０００３】現代のエネルギーは、原発はリスクが大き過ぎ、太陽光パネル、風力発電は，共に自然環境の変化に対応しきれず効率が悪過ぎる。当システムは、化学燃料など使わず、使用エネルギーは、回転数の高い小型モーターだけである。これは、てこの理論の応用であり、慣性モーメントの大きい円盤は、回り始めたら止まり難い為、小型モーターの間歇運転が可能となり、運転コストの省力化が図られる。【０００４】当システムは、構成部材が他の発電システムより極端に少なく、メンテナンスが容易である。一番の利点は、防水の利いた頑丈な収容箱に複数枚の回転円盤を収容し、同時に平行運転する事で発電効率を上げる事が出来、さらに収容箱自体を地下に埋設する事で、自然環境を壊さず、地上はそのまま活用できる。
また、当システムは、太陽光パネルや風力発電の様に自然の環境変化に左右されず、常時発電が可能である。【０００５】小型モーターで発電機を直接駆動する事は不可能である。しかし、てこの理論を利用して、慣性モーメントの大きい回転盤に回転エネルギーを与える事で、回転軸を同じくする小型円盤から、変速ギアーやベルト等で、発電機を駆動して、入力コストより、より大きな電力を得る事が出来る。小型モーターと発電機の間に機械的な慣性モーメントの大きい円盤を設ける事で、可能となる。
【図面の簡単な説明】
【図１】図１は、本発明装置の実施例の構成図である。
【図２】図２は、当システムの概念図である。
【図３】図３は、頑丈な防水型の箱に当システムを複数台収容して、地下に埋設設置した図である。
【図４】図４は、住宅の壁面に当システムを配した図である
【符号の説明】
【０００６】１    発電システムの収容箱
２    慣性モーメントの大きな回転円盤２
３    回転円盤に大きな慣性モーメントを付けるための錘
４    回転円盤と回転軸を同じくする、円盤４
５    回転ベルト
６    発電機
７    発電機に回転を与える回転盤７
８    モーター９に取り付けられたローター
９    回転円盤２を回転駆動させるためのモーター
１０  回転軸に取り付けられた変速ギアー
１１  回転円盤２の回転軸シャフト
【図１】
2016082858.tif 000003
【図２】
2016082858.tif 000004
【図３】
2016082858.tif 000005
【図４】
2016082858.tif 000006
(57)【要約】【課題】主に運転初心者に見られる事象であるが、自車の車両幅の認識が不十分なことにより、側道、もしくは路肩などに自車が侵入することがある。夜間においては相手車両の幅の認識が不十分になることにより、自車が相手車両に異常接近、もしくは接触することがある。少なくともこれら課題を解決するために所定配光パターンを形成、及び新規見栄えを提供する車両用灯具を実現する。【解決手段】  車両用灯具は光源からの光を投影レンズ、もしくは楕円系面を含んだ反射面の少なくとも一方を利用することで、所定配光パターンを形成する。前記投影レンズは、レンズ光軸を含む垂直面上にメリディオナル焦点群を形成する投影レンズである。【選択図】      図２
2016091791.tif 000002
【特許請求の範囲】
【請求項１】
光源（例えばLED、レーザー）からの光を、投影レンズ、又は楕円系面を含んだ反射面の少なくとも一方を利用することで所定配光パターンを形成する車両用灯具。
【請求項２】
請求項１における配光パターンが直線状である車両用灯具。
【請求項３】
請求項１における配光が可変色である車両用灯具。
【請求項４】
請求項１における配光の照射角度を調整可能である車両用灯具。
【請求項５】
請求項１における車両用灯具を車両に取り付けることにより、運転者、又は車外の観測者が車両の幅、空間、状態のいずれか少なくとも１つを視覚的に認識可能にする車両用灯具。
【発明の詳細な説明】
【技術分野】
【０００１】
本発明は、投影レンズ、もしくは楕円系面を含んだ反射面の少なくとも一方を利用する車両用灯具に関する。
【背景技術】
【０００２】
従来、明瞭なカットオフパターンを有する所定配光パターンを形成するプロジェクタ型前照灯が知られている（例えば、特許文献１、２）。これらはサジタル平面に光を集約させるものである。
【０００３】
主に運転初心者に見られる事象であるが、自車の車両幅の認識が不十分なことにより、側道、もしくは路肩などに自車が侵入することがある。
【０００４】
夜間においては相手車両の幅の認識が不十分になることにより、自車が相手車両に異常接近、もしくは接触することがある。
【先行技術文献】
【特許文献】
【０００５】
【特許文献１】特公平７−６０６０１号公報
【特許文献２】特公平７−８９４４２号公報
【発明の概要】
【発明が解決しようとする課題】
【０００６】
所定配光パターンを形成、及び新規見栄えを提供する車両用灯具を実現する。
【課題を解決するための手段】
【０００７】
本発明では光源からの光をメリディオナル平面へ集光可能な車両用灯具を実現する。車両用灯具は光源からの光を投影レンズ、もしくは楕円系面を含んだ反射面の少なくとも一方を利用することで、所定配光パターンを形成する。
【発明の効果】
【０００８】
前述の課題を解決可能な所定配光パターンの形成、及び新規見栄えの提供が可能となる。
【図面の簡単な説明】
【０００９】
【図１】本発明の実施例１に係る車両用灯具を示す斜視図
【図２】本発明の実施例１に係る車両用灯具を示す図
【図３】図１に示した車両用灯具の代替構成を示す斜視図
【図４】図１に示した車両用灯具の代替構成を示す図
【図５】実施例１に係る車両用灯具を車両に取り付けた様子を示す図
【図６】実施例１に係る車両用灯具による配光を示す図
【図７】実施例１に係る車両用灯具による配光を示す図
【図８】実施例１に係る車両用灯具による配光を示す図
【発明を実施するための形態】
【実施例１】
【００１０】
図２に示すように、灯具１００において、光源（ここでは１例としてLEDとする）からの光が反射面２によって照射面前方のメリディオナル平面上に集光する。灯具筐体１は調整具３により照射角度を調整可能である。
【００１１】
上記については例えば図３に示すようにレーザー光源４を利用した灯具２００にて代用可能である。レンズ光軸を含む垂直面上にメリディオナル焦点群を形成する投影レンズ５（例えばシリンドリカルレンズ）にレーザー光を照射、メリディオナル平面上に拡散させる構成である。
【００１２】
図５に示すように灯具１００、もしくは灯具２００は車両の所定の位置に取り付けられ、車両前方を照射する。これにより図６に示すように車両幅６を視覚的に確認可能になる。もしくは車両後方を照射することでバックギアでの駐車時の手助けになることが期待される。バックギア時においては、車両後方を撮影するバックモニタ付きの車両であれば、視覚的に車両幅を認識することが可能である。
【００１３】
灯具１００、もしくは灯具２００は車両の所定の位置に取り付けられ、車両下部を照射する。これにより図７に示すように車両幅７が相手車両、もしくは歩行者などから視覚的に確認可能になる。
【００１４】
灯具１００、もしくは灯具２００は車両の所定の位置に取り付けられ、車両周囲を照射する。これにより図８に示すように車両空間８が相手車両、もしくは歩行者などから視覚的に確認可能になる。
【００１５】
いずれにおいても、出力光の色を変更、もしくは点灯することにより、自社の状態をより分かりやすくすることが可能である。例えば、アクセル時は緑色光を出力、ブレーキ時は赤色光を出力するという具合である。また、自明であるが、レーザー素子からの照射光はエネルギー密度が高く、アイセーフの観点から観測者の目への被曝を防ぐ施策が必要である。
【産業上の利用可能性】
【００１６】
本発明は、投影レンズ、もしくは楕円系面を含んだ反射面の少なくとも一方を利用する車両用灯具を製造する産業で利用される。
【符号の説明】
【００１７】
１００    灯具
６        車両幅
【図１】
2016091791.tif 000003
【図２】
2016091791.tif 000004
【図３】
2016091791.tif 000005
【図４】
2016091791.tif 000006
【図５】
2016091791.tif 000007
【図６】
2016091791.tif 000008
【図７】
2016091791.tif 000009
【図８】
2016091791.tif 000010
(57)【要約】【課題】普通のカウンタ−を周波数カウンタ−として使用する為に、正確な１秒間のパルス生成回路とカウンタ−として使用する為のスタ−ト／ストップのタイミング生成回路との切り換えをし、電源投入時には回路を初期化する。【解決手段】  普通のカウンタ−を周波数カウンタ−としても使用できる様に正確に１秒間のパルスを生成し、カウンタ−としても使用できる様にカウンタ−／周波数カウンタ−の切替えをし、チャッタリング防止用と波形成形用に単安定マルチバイブレ−タ−回路を入力段に使用、電源投入時には回路を初期化する。【選択図】図１
2016046795.tif 000002
【特許請求の範囲】
【請求項１】
周波数カウンタ−用に正確な１秒間のパルス幅を生成する回路とカウンタ−として使用する為にスタ−ト／ストップのタイミングを発生する回路。
【発明の詳細な説明】
【技術分野】
【０００１】  この発明はデジタル回路に関する。
【発明の概要】
【０００２】  この発明は、周波数カウンタ−用にスタ−トスイッチで正確な１秒間のパルスの生成をする回路とカウンタ−用にスタ−ト／ストップのタイミングを発生する回路とをスイッチで切り換える物。
【背景技術】
【０００３】  普通のカウンタ−はスタ−ト／ストップの入力でカウンタ−としてのみ使用し、周波数カウンタ−としては使用できず、カウンタ−と周波数カウンタ−を別々の回路・測定器で構成する為、コスト的にも経済的でない。
【発明の開示】
【発明が解決しようとする課題】
【０００４】  普通のカウンタ−はカウンタ−としてのみ使用し、周波数カウンタ−としては使用できないので、正確な１秒間のパルスを生成する事で、１秒間のパルス数を計測して周波数カウンタ−としても使用出来る様にする回路。
【課題を解決するための手段】
【０００５】  この為、この発明においては、普通のカウンタ−を周波数カウンタ−としても使用できる様に正確に１秒間のパルスを生成する回路とカウンタ−としても使用する為にカウンタ−／周波数カウンタ−の切替えスイッチ、チャッタリング防止用と波形成形用に単安定マルチバイブレ−タ−回路、電源投入時の初期化回路で構成。
【発明の効果】
【０００６】  この回路をカウンタ−に組み込む事で、普通のカウンタ−を周波数カウンタ−として使用でき（１秒間計測）、また、操作を簡単にする様に周波数カウンタ−としてはスタ−ト入力のみ、カウンタ−としてはスタ−ト／ストップの入力が必要である。さらに、電源投入時にはパルス生成回路のフリップフロップを初期化する。
【図面の簡単な説明】
【０００７】
【図１】が本発明の、正確な１秒間のパルス幅とカウンタ−用のスタ−ト／ストップのタイミングを生成する回路図である。この回路図は、スタ−ト／ストップの入力部にチャッタリング防止用と波形成形用に単安定マルチバイブレ−タ−回路を使用し、その出力をＴＴＬとフリップフロップで構成されたデジタル回路で処理し、周波数カウンタ−用には１Ｈｚの基準周波数を入力し、カウンタ−用には単安定マルチバイブレ−タ−回路の出力でスタ−ト／ストップの制御をしている。
【図１】
2016046795.tif 000003
(57)【要約】      （修正有）【課題】火薬としての規制を受けない導火線および花火を提供する【解決手段】火薬として規制されていないセルロイドを使って小さなキャンドルに花火を取り付けられるようにするとともに導火線としても使えるものを得る。セルロイドを溶媒に溶かして木綿糸に塗布し乾燥して製する。これにより導火線として使えるものができ、セルロイドにチタンの微粉末などの火花剤を加えれば花火として使えるものができる。木綿糸８本を束ねこれにセルロイドの粘いアセトン溶液を塗り付けてから糸の両端を引っ張りまっすぐにした状態で乾燥させる。これにより細い棒状のセルロイドで木綿の芯が入った導火線ができる。【選択図】なし【特許請求の範囲】
【請求項１】
木綿糸を芯としたセルロイドの棒状あるいは糸状の導火線
【請求項２】
請求項１のセルロイドにチタンの微粉末などの火花剤をいれるかまたは表面に付着させた花火
【請求項３】
請求項１の導火線または２の花火を取り付けたキャンドル
【発明の詳細な説明】
【技術分野】
【０００１】セルロイドで被覆した木綿糸で導火線や花火として使用できるものに関する【０００２】一般に花火は火薬として規制されているため製造および販売において厳しすぎるほどの規制があり思うような製品が製造できません。とくにキャンドルに組み合わせる場合にはキャンドルのサイズに制限があって小さなキャンドルには花火を取り付けできません。
【発明の概要】
【発明が解決しようとする課題】
【０００３】火薬として規制されていないセルロイドを使って小さなキャンドルに花火を取り付けられるようにするとともに導火線としても使えるものを得る。
【課題を解決するための手段】
【０００４】セルロイドを溶媒に溶かして木綿糸に塗布し乾燥して製する。これにより導火線として使えるものができ、セルロイドにチタンの微粉末などの火花剤を加えれば花火として使えるものができる。
【発明の効果】
【０００５】本発明により小型のキャンドルに花火を取り付けて市販可能な製品が製造できる。またキャンドルの連像着火などに使える導火線にもなる。
【実施例１】
【０００６】木綿糸８本を束ねこれにセルロイドの粘いアセトン溶液を塗り付けてから糸の両端を引っ張りまっすぐにした状態で乾燥させる。これにより細い棒状のセルロイドで木綿の芯が入った導火線ができる。これを垂直に立てその上端に点火すると、小さな火炎をあげながら下方に伝火していく導火線となる。その際芯の木綿糸は炭化しさらに火炎中で燃え尽きて消えてしまう。
【実施例２】
【０００７】上記同様にするがその際直径７０ミクロン程度のチタン微粉末を加えることにより。花火のようにチカチカ火花を飛ばしながら燃焼する花火様の効果を持った製品ができる。これを小型のキャンドルの芯のそばにつければ一種の花火ローソクとなる。